(57)【要約】      （修正有）【課題】決済端末のユーザの利便性が損なわれることを抑制する技術を提供する。【解決手段】決済端末１０は、他の決済端末６０を検出可能であると共に検出された決済端末６０と通信可能なＮＦＣＩ／Ｆ１６と、制御部１８と、電子マネー決済を行うための設定データ４０を記憶するメモリ２４と、を有している。制御部１８は、メモリ２４内の設定データ４０を用いて電子マネー決済を実行し、ＮＦＣＩ／Ｆ１６が決済端末６０を検出する場合において、ＮＦＣＩ／Ｆ１６を介して決済端末６０から設定データの送信を要求するデータ要求信号を受信し、データ要求信号が受信された場合に、メモリ２４に決済不能フラグを記憶させ、データ要求信号が受信された場合に、メモリ２４内の設定データ４０を、ＮＦＣＩ／Ｆ１６を介して、決済端末６０に送信する。制御部１８は、メモリ２４に決済不能フラグが記憶されている場合に、電子マネー決済を実行しないように構成する。【選択図】図１
2015225542.tif 000002
【特許請求の範囲】
【請求項１】
電子マネー決済を行うための決済端末であって、
他の決済端末を検出可能であると共に検出された他の決済端末と通信可能な通信インターフェースと、
制御装置と、
電子マネー決済を行うための設定データを記憶するメモリと、を有しており、
制御装置は、
メモリ内の設定データを用いて電子マネー決済を実行する決済実行部と、
通信インターフェースが他の決済端末を検出する場合において、通信インターフェースを介して当該他の決済端末から設定データの送信を要求する要求信号を受信する信号受信部と、
要求信号が受信された場合に、メモリに決済不能フラグを記憶させる記憶制御部と、
要求信号が受信された場合に、メモリ内の設定データを、通信インターフェースを介して、他の決済端末に送信するデータ送信部を備え、
決済実行部は、メモリに決済不能フラグが記憶されている場合に、電子マネー決済を実行しない、
決済端末。
【請求項２】
制御装置は、
通信インターフェースが他の決済端末を検出する場合に、通信インターフェースを介して当該他の決済端末に要求信号を送信する信号送信部と、
要求信号が送信された場合に、通信インターフェースを介して、他の決済端末から設定データを受信するデータ受信部と、をさらに備える、
請求項１の決済端末。
【請求項３】
設定データが他の決済端末に供給された後に、設定データがメモリから消去される、
請求項１又は２の決済端末。
【請求項４】
メモリは、不揮発メモリと揮発メモリとを有し、
不揮発メモリは設定データを記憶しており、
記憶制御部は、要求信号が受信されると、さらに、不揮発メモリ内の設定データを揮発メモリに記憶させるとともに、不揮発メモリ内から設定データを消去し、
データ送信部は、揮発メモリ内の設定データを、通信インターフェースを介して、他の決済端末に送信し、
決済実行部は、不揮発メモリ内の設定データを用いて電子マネー決済を実行可能であり、揮発メモリ内の設定データを用いて電子マネー決済を実行不可能である、
請求項１から３のいずれか一項の決済端末。
【請求項５】
決済端末は、さらに、メモリに電力を供給するための充電池を有している、
請求項４の決済端末。
【発明の詳細な説明】
【技術分野】
【０００１】
本明細書で開示する技術は、電子マネー決済を行うための決済端末に関する。
【背景技術】
【０００２】
特許文献１は、プリペイドカードを消費金額に応じて処理するシステムを開示する。特許文献１のシステムは、プリペイドカードをセットして利用する読書装置と、プリペイドカードの消費金額を管理する決済センタを備える。読書装置は、セットされたプリペイドカードの残高を、消費金額に応じて更新し、売上情報を生成して決済センタに送信する。特許文献１の技術では、一の読書装置が故障した場合、ユーザは、他の読書装置にプリペイドカードをセットすることにより、他の読書装置を利用できるようになる。
【先行技術文献】
【特許文献】
【０００３】
【特許文献１】特開２０００−２４２８３２号公報
【発明の概要】
【発明が解決しようとする課題】
【０００４】
ところで、電子マネー決済を行うための決済システムも存在する。従来、電子マネー決済を行うための決済システムでは、電子マネー決済を行うための決済端末と、決済端末と通信可能に接続され、電子マネー決済を行うための設定データを記憶するセンタサーバを備える。決済端末のユーザは、センタサーバの提供者に、設定データの利用申込みを行う。センタサーバは、申込みが行われた決済端末に関する情報を登録し、その決済端末のための設定データを決済端末に供給する。決済端末は、センタサーバから設定データを取得し、取得された設定データを利用して、電子マネー決済を実行する。
【０００５】
電子マネー決済を行うための設定データは、その性質上、ユーザが複製して複数個の決済端末で同時に利用することができないように制限されている。そのため、従来の技術では、決済端末が故障した場合のように、第１の決済端末での電子マネー決済を終了し、新たに第２の決済端末での電子マネー決済を開始する場合、プリペイドカードを他の端末にセットすれば済む上記特許文献１の技術とは異なり、ユーザは、センタサーバの提供者に、第１の決済端末での設定データの利用を終了する申込みを行うとともに、新たに第２の決済端末で設定データを利用するための申込みを行う必要がある。センタサーバは、申込みに従い、第１の決済端末での設定データの利用を終了する処理、及び、第２の決済端末に新たに設定データを供給する処理を行う必要がある。この場合、センタサーバにおける利用終了処理、及び、設定データの新規供給処理に長期間を要するおそれがある。ユーザの希望するタイミングで第２の決済端末に設定データが供給されない可能性があり、ユーザの利便性が損なわれる可能性がある。
【０００６】
本明細書では、従来の技術と比べて、決済端末のユーザの利便性が損なわれることを抑制することができる技術を提供する。
【０００７】
本明細書が開示する決済端末は、電子マネー決済を行うための決済端末である。決済端末は、他の決済端末を検出可能であると共に検出された他の決済端末と通信可能な通信インターフェースと、制御装置と、電子マネー決済を行うための設定データを記憶するメモリと、を有している。制御装置は、メモリ内の設定データを用いて電子マネー決済を実行する決済実行部と、通信インターフェースが他の決済端末を検出する場合において、通信インターフェースを介して当該他の決済端末から設定データの送信を要求する要求信号を受信する信号受信部と、要求信号が受信された場合に、メモリに決済不能フラグを記憶させる記憶制御部と、要求信号が受信された場合に、メモリ内の設定データを、通信インターフェースを介して、他の決済端末に送信するデータ送信部を備える。決済実行部は、メモリに決済不能フラグが記憶されている場合に、電子マネー決済を実行しない。
【０００８】
上記の構成によると、一の決済端末での電子マネー決済を終了し、新たに他の決済端末での電子マネー決済を開始する場合に、一の決済端末及び他の決済端末のユーザが、センタサーバの提供者に、一の決済端末における設定データの利用終了の申込み、及び、他の決済端末における設定データの利用申込みを行う必要がない。センタサーバにおいて新たに処理が行われることを待つ必要もない。そのため、ユーザの希望するタイミングで他の決済端末に設定データを供給することができる。従って、センタサーバが、一の決済端末における設定データの利用終了処理と、他の決済端末への設定データの供給処理とを行うのを待たなければならない従来の技術と比べて、ユーザの利便性が損なわれることを抑制することができる。
【図面の簡単な説明】
【０００９】
【図１】第１実施例の決済システムの構成を模式的に示す図。
【図２】第１実施例の決済端末１０の制御部１８が実行するデータ送信処理を示すフローチャート。
【図３】第１実施例の決済端末６０の制御部６８が実行するデータ受信処理を示すフローチャート。
【図４】第１実施例の決済端末１０と他の決済端末６０との間で実行される処理の具体例を示すシーケンスチャート。
【図５】第２実施例の決済端末１０の制御部１８が実行するデータ送信処理を示すフローチャート。
【発明を実施するための形態】
【００１０】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１１】
（特徴１）制御装置は、通信インターフェースが他の決済端末を検出する場合に、通信インターフェースを介して当該他の決済端末に要求信号を送信する信号送信部と、要求信号が送信された場合に、通信インターフェースを介して、他の決済端末から設定データを受信するデータ受信部と、をさらに備えてもよい。
【００１２】
この構成によると、決済端末は、ユーザの希望するタイミングで、他の決済端末から適切に設定データを取得することができる。
【００１３】
（特徴２）設定データが他の決済端末に供給された後に、設定データがメモリから消去されてもよい。
【００１４】
この構成によると、決済端末のメモリ内に設定データを残さないようにすることができる。１個の設定データが、複数個の決済端末で同時に利用される状況が発生することを防止することができる。
【００１５】
（特徴３）メモリは、不揮発メモリと揮発メモリとを有していてもよい。不揮発メモリは設定データを記憶していてもよい。記憶制御部は、要求信号が受信されると、さらに、不揮発メモリ内の設定データを揮発メモリに記憶させるとともに、不揮発メモリ内から設定データを消去してもよい。データ送信部は、揮発メモリ内の設定データを、通信インターフェースを介して、他の決済端末に送信してもよい。決済実行部は、不揮発メモリ内の設定データを用いて電子マネー決済を実行可能であり、揮発メモリ内の設定データを用いて電子マネー決済を実行不可能であってもよい。
【００１６】
この構成によると、決済端末は、他の決済端末から要求信号が受信されると、不揮発メモリ内の設定データを揮発メモリに記憶させ、不揮発メモリ内から設定データを消去することにより、決済端末において設定データを用いで電子マネー決済を実行できない状態に移行させることができる。また、揮発メモリ内に記憶された設定データは、決済端末への電源供給が遮断された時点で消去される。そのため、揮発メモリ内の設定データが他の決済端末に送信された後に、決済端末への電源供給を遮断すれば、決済端末内に設定データを残さないようにすることができる。１個の設定データが、複数個の決済端末で同時に利用される状況が発生することを適切に防止することができる。
【００１７】
（特徴４）決済端末は、さらに、メモリに電力を供給するための充電池を有していてもよい。
【００１８】
この構成によると、揮発メモリ内に記憶された設定データを他の決済端末に送信している間に、決済端末への電源供給が遮断される場合であっても、決済端末は、充電池から供給される電力を利用して設定データの送信を継続することができる。他の決済端末への設定データの送信を適切に行うことができる。また、不揮発メモリ内の設定データが揮発メモリに記憶され、不揮発メモリ内の設定データが消去された後に、充電池の蓄電量が閾値以下に低下すると、揮発メモリ内の設定データが自動的に消去される。従って、この場合も、１個の設定データが複数個の決済端末で同時に利用される状況が発生することを適切に防止することができる。
【００１９】
（第１実施例）
（システム構成；図１）
図１に示す決済システム２は、決済端末１０と、ＰＯＳ（Point Of Sales）端末５０と、決済媒体１００と、決済端末６０と、ＰＯＳ端末９０と、を備える。決済システム２は、例えば、商店内で利用されるシステムであって、商品の販売に伴う決済を行うシステムである。決済システム２を用いて商店内で決済を行う場合、まず、ユーザ（商店の店員）がＰＯＳ端末５０を操作し、顧客が購入を希望する商品の金額（即ち、決済金額）、顧客が決済に利用することを希望する電子マネーの種類等、決済に必要な決済情報を入力する。ＰＯＳ端末５０は、入力された決済情報を決済端末１０に送信する。決済端末１０は、受信した決済情報を記憶する。その後、顧客が、自身が所有する決済媒体１００を決済端末１０に近づけると、決済端末１０とその決済媒体１００との間で通信が行われ、必要な決済が行われる。
【００２０】
決済端末１０は、操作部１２と、表示部１４と、ＮＦＣ（Near Fiele Communication）インターフェース１６と、制御部１８と、充電池２０と、有線インターフェース２２と、メモリ２４と、を備える。以下では、インターフェースのことを「Ｉ／Ｆ」と記載する。
【００２１】
操作部１２は、複数のキーを備える。決済端末１０のユーザ（例えば、店員）は、操作部１２を操作することによって、様々な指示を決済端末１０に入力することができる。表示部１４は、様々な情報を表示するためのディスプレイである。
【００２２】
ＮＦＣＩ／Ｆ１６は、決済媒体１００、及び、他の決済端末６０との間で近距離無線通信を実行するためのインターフェースである。ＮＦＣＩ／Ｆ１６は、図示しないアンテナ及び送受信回路を備えている。ＮＦＣＩ／Ｆ１６は、決済媒体１００及び他の決済端末６０を検出可能である。
【００２３】
制御部１８は、メモリ２４内のプログラム３２に従って様々な処理を実行する。制御部１８は、ＮＦＣＩ／Ｆ１６を介して、決済媒体１００及び他の決済端末６０と通信を実行することができる。制御部１８が実行する処理の内容は後で詳しく説明する。また、制御部１８は、ＮＦＣＩ／Ｆ１６が決済端末６０を検出する場合には、決済端末６０からＮＦＣＩ／Ｆ１６を介して電力供給を受けて動作することができる。
【００２４】
充電池２０は、決済端末１０への電源供給（図示しない）が遮断された場合において、メモリ２４に電力を供給する。
【００２５】
有線Ｉ／Ｆ２２は、ＰＯＳ端末５０と有線通信を行うためのインターフェースである。決済端末１０は、有線Ｉ／Ｆ２２を介して、ＰＯＳ端末５０と有線通信可能に接続されている。ただし、制御部１８が、後述のデータ送信処理（図２参照）を実行する場合には、有線Ｉ／Ｆ２２にはＰＯＳ端末５０が接続されていなくてもよい。
【００２６】
メモリ２４は、不揮発メモリ３０と、揮発メモリ３４とを有する。不揮発メモリ３０は、各種処理（図２のデータ送信処理、図３のデータ受信処理、等）を実行するためのプログラム３２を記憶している。また、不揮発メモリ３０は、設定データ４０を記憶している。揮発メモリ３４は、各種処理に伴うデータを一時的に記憶するためのメモリである。
【００２７】
設定データとは、決済端末（例えば決済端末１０、６０）が、決済媒体（例えば決済媒体１００）との間で電子マネー決済を行うために用いられるデータである。電子マネー決済の実行を希望する決済端末は、設定データを用いない限り、電子マネー決済を行うことができない。具体的には、設定データには、利用可能な電子マネー種類を示す種類情報、電子マネー種類毎に、決済データを暗号化／復号化するための鍵情報、等が含まれている。設定データは、電子マネー決済を行うための設定データを記憶するセンタサーバ（図示しない）によって供給されるデータである。決済端末のユーザは、センタサーバの提供者に、設定データの利用申込みを行う。センタサーバは、申込みが行われた決済端末に関する情報を登録し、その決済端末のための設定データを決済端末に供給する。決済端末は、センタサーバから設定データを取得し、取得された設定データを利用することにより、電子マネー決済を実行することができる。
【００２８】
制御部１８は、不揮発メモリ３０内に記憶されている設定データ４０を用いて、決済媒体１００との間で電子マネー決済を実行することができる。
【００２９】
また、不揮発メモリ３０は、決済端末１０が行う決済に関連する決済関連情報を記憶するための決済関連情報記憶領域も有している。決済関連情報とは、例えば、決済媒体のＩＤ、決済金額、電子マネーの種類、決済時刻等を示す情報である。制御部１８は、不揮発メモリ３０に記憶されている決済関連情報を定期的にセンタサーバに送信する。
【００３０】
ＰＯＳ端末５０は、ユーザ（商店の店員）によって操作されるレジ端末である。ユーザは、ＰＯＳ端末５０を操作して決済に必要な決済情報を入力することができる。また、ユーザは、ＰＯＳ端末５０を操作して、決済端末１０に指示を与えることもできる。また、ＰＯＳ端末５０は、所定時間毎に、決済端末１０から決済関連情報を受信し、受信された決済関連情報を記憶する。
【００３１】
決済端末６０は、決済端末１０と同様の構成を備える端末である。即ち、決済端末６０も、決済端末１０と同様に、操作部６２、表示部６４、ＮＦＣＩ／Ｆ６６、制御部６８、充電池７０、有線Ｉ／Ｆ７２、及び、メモリ７４を備える。メモリ７４は、不揮発メモリ８０と揮発メモリ８４とを備える。不揮発メモリ８０は、プログラム３２と同様のプログラム８２を記憶している。そのため、制御部６８は、決済端末１０の制御部１８と同様の処理を実行することができる。ただし、図１の例では、不揮発メモリ８０には設定データが記憶されていない点が決済端末１０とは異なる。
【００３２】
ＰＯＳ端末９０は、ＰＯＳ端末５０と同様の構成を備える端末である。
【００３３】
決済媒体１００は、例えば、顧客が所持するＩＣカード、携帯電話端末等、決済端末１０と近距離無線通信を実行可能な媒体である。
【００３４】
（決済端末１０の制御部１８が実行するデータ送信処理；図２）
続いて、図２を参照して、本実施例の決済端末１０の制御部１８が実行するデータ送信処理について説明する。不揮発メモリ３０内に設定データ４０が記憶されている決済端末１０の操作部１２で所定のデータ送信準備操作が行われると、制御部１８は、図２のデータ送信処理を開始する。他の例では、データ送信準備操作は、決済端末１０に接続されているＰＯＳ端末５０で行われてもよい。
【００３５】
Ｓ１０では、制御部１８は、ＮＦＣＩ／Ｆ１６を介して、他の決済端末６０から、設定データの送信を要求するデータ要求信号を受信することを監視する。設定データが記憶されていない決済端末６０に接続されているＰＯＳ端末９０において、設定データ要求操作が行われると、決済端末６０は、データ受信処理（図３参照）を開始する。その状態で、決済端末６０のＮＦＣＩ／Ｆ６６と決済端末１０のＮＦＣＩ／Ｆ１６とが近距離無線通信可能な範囲内まで近づけられると、決済端末６０のＮＦＣＩ／Ｆ６６と決済端末１０のＮＦＣＩ／Ｆ１６との間でＮＦＣ接続が確立する。ＮＦＣ接続が確立すると、決済端末６０は、ＮＦＣＩ／Ｆ６６を介してデータ要求信号を決済端末１０に送信する（図３のＳ３２）。制御部１８は、ＮＦＣＩ／Ｆ１６を介して、データ要求信号を受信する。これ以降、決済端末１０と決済端末６０との間の通信は、確立したＮＦＣ接続を介して行われる。制御部１８は、データ要求信号を受信すると、Ｓ１０でＹＥＳと判断し、Ｓ１２に進む。
【００３６】
Ｓ１２では、制御部１８は、不揮発メモリ３０内に決済不能フラグを記憶させる。決済不能フラグは、設定データ４０を用いて電子マネー決済を行うことを不可能にするためのフラグである。制御部１８は、不揮発メモリ３０内に決済不能フラグが記憶されている場合には、不揮発メモリ３０内に設定データ４０が記憶されている場合であっても、設定データ４０を用いて電子マネー決済を行うことができなくなる。これにより、決済端末１０は、不揮発メモリ３０内に設定データ４０を記憶していても電子マネー決済ができなくなる。
【００３７】
次いで、Ｓ１４では、制御部１８は、ＮＦＣＩ／Ｆ１６を介して、決済端末６０に対して、ＯＫ信号を送信する。ＯＫ信号は、決済端末１０が、設定データ４０を送信する準備ができていることを示す信号である。
【００３８】
次いで、Ｓ１６では、制御部１８は、決済端末６０から、設定データの送信開始を要求する送信開始要求信号を受信することを監視する。決済端末６０は、上記のＯＫ信号を受信すると、ＮＦＣＩ／Ｆ６６を介して送信開始要求信号を送信する（図３のＳ３６）。制御部１８は、ＮＦＣＩ／Ｆ１６を介して送信開始要求信号を受信する。制御部１８は、送信開始要求信号を受信すると、Ｓ１６でＹＥＳと判断し、Ｓ１８に進む。
【００３９】
Ｓ１８では、制御部１８は、ＮＦＣＩ／Ｆ１６を介して、決済端末６０への設定データ４０の送信を開始する。具体的に言うと、制御部１８は、不揮発メモリ３０内の設定データ４０をコピーし、コピーした設定データを、ＮＦＣＩ／Ｆ１６を介して決済端末６０に送信する。その際、制御部１８は、設定データ全体を一度に送信するのではなく、一部ずつ複数回に分けて送信する。
【００４０】
Ｓ１８で設定データ４０の送信を開始すると、続くＳ２０で、制御部１８は、決済端末６０から完了通知を受信することを監視する。完了通知を受信するまでは、制御部１８は、設定データの送信を継続する。決済端末６０は、設定データをすべて受信すると、ＮＦＣＩ／Ｆ６６を介して、決済端末１０に完了通知を送信する（図３のＳ４２）。制御部１８は、ＮＦＣＩ／Ｆ１６を介して完了通知を受信する。制御部１８は、完了通知を受信すると、Ｓ２０でＹＥＳと判断する。Ｓ２０でＹＥＳの場合、データ送信処理が終了する。
【００４１】
図２のデータ送信処理が終了した後は、不揮発メモリ３０内に決済不能フラグが記憶されているため、制御部１８は、設定データ４０を用いた電子マネー決済を実行不能となる。このように本実施例の決済システムでは、１個の設定データが複数の決済端末で同時に利用可能となることが防止される。
【００４２】
なお、制御部１８は、Ｓ１２で決済不能フラグを不揮発メモリ３０に記憶させた後に、決済端末６０から完了通知を受信する前に（即ち、設定データの送信が完了する前に）、決済端末１０と決済端末６０との間のＮＦＣ接続が切断された場合には、図２のデータ送信処理をエラー終了させる。その際、制御部１８は、不揮発メモリ３０に記憶させた決済不能フラグを消去する。これにより、設定データの送信が完了する前に、決済端末１０と決済端末６０との間のＮＦＣ接続が切断された場合には、決済端末１０が設定データ４０を用いて電子マネー決済をできる状態を継続させることができる。送信中の通信状態の悪化により、決済端末１０、６０の双方で電子マネー決済が行えなくなる事態の発生が防止されている。
【００４３】
（決済端末６０の制御部６８が実行するデータ受信処理；図３）
続いて、図３を参照して、本実施例の決済端末６０の制御部６８が実行するデータ受信処理について説明する。決済端末６０の不揮発メモリ８０内に設定データが記憶されていない状態で、決済端末６０に接続されているＰＯＳ端末９０において、所定のデータ要求操作が実行されると、制御部６８は、図３のデータ受信処理を開始する。他の例では、所定のデータ要求操作は、決済端末６０の操作部６２によって行われてもよい。
【００４４】
Ｓ３０では、制御部６８は、他の決済端末１０との間にＮＦＣ接続が確立されることを監視する。データ受信処理が開始された後のＮＦＣＩ／Ｆ６６が、決済端末１０のＮＦＣＩ／Ｆ１６と近距離無線通信可能な範囲内まで近づけられると、決済端末６０のＮＦＣＩ／Ｆ６６と決済端末１０のＮＦＣＩ／Ｆ１６との間でＮＦＣ接続が確立する。ＮＦＣ接続が確立すると、ＮＦＣＩ／Ｆ６６は、制御部６８にＮＦＣ接続が確立したことを通知する。制御部６８は、ＮＦＣＩ／Ｆ６６から通知を受けると、Ｓ３０でＹＥＳと判断し、Ｓ３２に進む。これ以降、決済端末６０と決済端末１０との間の通信は、確立したＮＦＣ接続を介して行われる。
【００４５】
Ｓ３２では、制御部６８は、ＮＦＣＩ／Ｆ６６を介して、決済端末１０にデータ要求信号を送信する。データ要求信号は、上記の通り、決済端末１０に設定データの送信を要求するための信号である。
【００４６】
次いで、Ｓ３４では、制御部６８は、決済端末１０から、ＯＫ信号を受信することを監視する。上記の通り、決済端末１０は、不揮発メモリ３０に決済不能フラグを記憶させた後に、ＮＦＣＩ／Ｆ１６を介してＯＫ信号を送信する（図２のＳ１２、Ｓ１４）。制御部６８は、ＮＦＣＩ／Ｆ６６を介してＯＫ信号を受信すると、Ｓ３４でＹＥＳと判断し、Ｓ３６に進む。
【００４７】
Ｓ３６では、制御部６８は、ＮＦＣＩ／Ｆ６６を介して、決済端末１０に、設定データの送信開始を要求する送信開始要求信号を送信する。
【００４８】
次いで、Ｓ３８では、制御部６８は、ＮＦＣＩ／Ｆ６６を介して、決済端末１０から送信される設定データの受信を開始する。上記の通り、決済端末１０は、送信開始要求信号を受信すると（図２のＳ１６でＹＥＳ）、ＮＦＣＩ／Ｆ１６を介して決済端末６０に設定データを複数回に分けて送信する。制御部６８は、ＮＦＣＩ／Ｆ６６を介して、決済端末１０から送信された設定データを受信すると、受信した設定データを、不揮発メモリ８０に記憶させる。
【００４９】
Ｓ３８で設定データの受信を開始すると、続くＳ４０で、制御部６８は、設定データをすべて受信することを監視する。制御部６８は、受信する設定データに、最後の部分であることを示す情報が含まれている場合に、設定データをすべて受信したと判断する。この場合に、制御部６８は、Ｓ４０でＹＥＳと判断し、Ｓ４２に進む。制御部６８は、設定データをすべて受信するまでは、設定データの受信を継続する。
【００５０】
Ｓ４２では、制御部６８は、ＮＦＣＩ／Ｆ６６を介して、決済端末１０に完了通知を送信する。Ｓ４２を終えると、データ受信処理が終了する。
【００５１】
図３のデータ受信処理が終了した後は、不揮発メモリ８０内に設定データが記憶されているため、制御部６８は、設定データを用いた電子マネー決済を実行可能となる。
【００５２】
なお、制御部６８は、Ｓ３８で設定データの受信を開始した後、設定データをすべて受信する前に、決済端末１０と決済端末６０との間のＮＦＣ接続が切断された場合には、図３のデータ受信処理をエラー終了させる。その際、制御部６８は、不揮発メモリ８０に記憶させた設定データの一部を消去する。
【００５３】
（具体例；図４）
続いて、図４を参照して、決済端末１０と決済端末６０との間で実行される処理（データ送信処理及びデータ受信処理）の具体例を説明する。図４の例では、決済端末１０が決済端末６０に設定データを送信する例である。このような処理が行われるのは、例えば、ユーザが、決済端末１０での電子マネー決済を終了させ、新たに決済端末６０での電子マネー決済を開始することを希望する場合である。
【００５４】
まず、ユーザは、決済端末１０の操作部１２を操作して、所定の設定データ送信準備操作を行う。設定データ送信準備操作が行われると、決済端末１０は、データ送信処理（図２）を開始する。また、ユーザは、決済端末６０に接続されているＰＯＳ端末９０を操作して、所定の設定データ要求操作を行う。設定データ要求操作が行われると、決済端末６０は、データ受信処理（図３）を開始する。
【００５５】
この状態で、決済端末６０のＮＦＣＩ／Ｆ６６と決済端末１０のＮＦＣＩ／Ｆ１６とが近距離無線通信可能な範囲内まで近づけられると、決済端末６０のＮＦＣＩ／Ｆ６６と決済端末１０のＮＦＣＩ／Ｆ１６との間でＮＦＣ接続が確立する（図３のＳ３０でＹＥＳ）。これ以降、決済端末１０と決済端末６０との間の通信は、確立したＮＦＣ接続を介して行われる。
【００５６】
次いで、決済端末６０は、データ要求信号を決済端末１０に送信する（図３のＳ３２）。
【００５７】
決済端末１０は、データ要求信号を受信すると（図２のＳ１０でＹＥＳ）、不揮発メモリ３０に決済不能フラグを記憶させる（図２のＳ１２）。次いで、決済端末１０は、ＯＫ信号を決済端末６０に送信する（図２のＳ１４）。
【００５８】
決済端末６０は、決済端末１０からＯＫ信号を受信すると（図３のＳ３４でＹＥＳ）、送信開始要求信号を決済端末１０に送信する（図３のＳ３６）。
【００５９】
決済端末１０は、送信開始要求信号を受信すると、決済端末６０への設定データ４０の送信を開始する（Ｓ１８、Ｓ２０）。具体的には、決済端末１０は、不揮発メモリ３０内の設定データをコピーし、コピーした設定データを決済端末６０に送信する。図４の例では、決済端末１０は、３回に分けて設定データを送信する。
【００６０】
決済端末６０は、設定データを受信すると、受信した設定データを不揮発メモリ８０内に記憶する。決済端末６０は、受信した設定データに、最後の部分であることを示す情報が含まれている場合に、設定データをすべて受信したと判断する（図３のＳ４０でＹＥＳ）。その場合、決済端末６０は、決済端末１０に完了通知を送信する（図３のＳ４２）。決済端末６０は、データ受信処理（図３）を完了する。
【００６１】
決済端末１０は、完了通知を受信すると（図２のＳ２０でＹＥＳ）、データ送信処理（図２）を完了する。
【００６２】
一方、決済端末１０が設定データの送信を開始した後、決済端末６０から完了通知を受信する前に（即ち、設定データの送信が完了する前に）、決済端末１０と決済端末６０との間のＮＦＣ接続が切断された場合には、決済端末１０は、データ送信処理（図２）をエラー終了させる。その際、決済端末１０は、不揮発メモリ３０に記憶させた決済不能フラグを消去する。
【００６３】
同様に、決済端末６０が設定データの受信を開始した後、設定データをすべて受信する前に、決済端末１０と決済端末６０との間のＮＦＣ接続が切断された場合には、決済端末６０は、データ受信処理（図３）をエラー終了させる。その際、決済端末６０は、不揮発メモリ８０に記憶させた設定データの一部を消去する。
【００６４】
上述したように、本実施例では、一の決済端末１０での電子マネー決済を終了し、新たに他の決済端末６０での電子マネー決済を開始する場合に、決済端末１０及び決済端末６０のユーザが、センタサーバの提供者に、決済端末１０における設定データの利用終了の申込み、及び、決済端末６０における設定データの利用申込みを行う必要がない。センタサーバにおいて新たに処理が行われることを待つ必要もない。そのため、ユーザの希望するタイミングで決済端末６０に設定データを供給することができる。従って、センタサーバが、決済端末１０における設定データの利用終了処理と、決済端末６０への設定データの供給処理とを行うのを待たなければならない従来の技術と比べて、ユーザの利便性が損なわれることを抑制することができる。
【００６５】
また、本実施例では、決済端末１０の制御部１８は、設定データを決済端末６０に送信する際に、不揮発メモリ３０内に決済不能フラグを記憶させる（図２のＳ１２）。制御部１８は、不揮発メモリ３０内に決済不能フラグが記憶されている場合には、不揮発メモリ３０内に設定データ４０が記憶されている場合であっても、設定データ４０を用いて電子マネー決済を行うことができなくなる。これにより、本実施例の決済システムでも、１個の設定データ４０が、異なる複数個の決済端末１０、６０で同時に利用される事態が防止されている。
【００６６】
また、本実施例では、決済端末６０の制御部６８は、ＮＦＣＩ／Ｆ６６が決済端末１０を検出する場合（図３のＳ３０でＹＥＳ）に、ＮＦＣＩ／Ｆ６６を介して決済端末１０にデータ要求信号を送信し（Ｓ３２）、その後、決済端末１０から設定データを受信する（Ｓ３８）。決済端末６０は、ユーザの希望するタイミングで、他の決済端末１０から適切に設定データを取得することができる。
【００６７】
決済端末１０、６０が「決済端末」の一例である。ＮＦＣＩ／Ｆ１６、６６が「通信インターフェース」の一例である。制御部１８、６８が「制御装置」の一例である。メモリ２４、７４が「メモリ」の一例である。データ要求信号が「要求信号」の一例である。図２のＳ１０が「信号受信部」が実行する処理の一例である。図２のＳ１２が「記憶制御部」が実行する処理の一例である。図２のＳ１８、Ｓ２０が「データ送信部」が実行する処理の一例である。図３のＳ３２が「信号送信部」が実行する処理の一例である。図３のＳ３８、Ｓ４０が「データ受信部」が実行する処理の一例である。
【００６８】
（第１実施例の変形例１）
上記の第１実施例の変形例を説明する。第１実施例では、データ送信処理（図２）が終了した後は、不揮発メモリ３０内には、設定データ４０とともに、決済不能フラグが記憶された状態になる。これに代えて、データ送信処理において、制御部１８は、決済端末６０から完了通知を受信した後で（Ｓ２０でＹＥＳの後で）、不揮発メモリ３０内に記憶されている設定データ４０を消去してもよい。
【００６９】
制御部１８が完了通知を受信した時点（Ｓ２０でＹＥＳの時点）で、既に決済端末６０に設定データが記憶されている。そのため、制御部１８が、決済端末６０から完了通知を受信した後で、不揮発メモリ３０内の設定データ４０を消去しても、決済端末６０が設定データを用いて電子マネー決済を実行できる。本変形例によると、決済端末１０の不揮発メモリ３０内に設定データ４０を残さないようにすることができる。設定データが、複数個の決済端末１０、６０で同時に利用される状況の発生を適切に防止することができる。本変形例も「設定データが他の決済端末に供給された後に、設定データがメモリから消去される」の一例である。
【００７０】
（第１実施例の変形例２）
上記の第１実施例では、決済端末１０の操作部１２において所定のデータ送信準備操作が行われると、制御部１８は、図２のデータ送信処理を開始する。これに代えて、本変形例では、制御部１８は、決済端末１０に電力が供給される場合に、所定のデータ送信準備操作が行われない場合であっても、図２のデータ送信処理を開始してもよい。即ち、図３のデータ送信処理の開始のトリガが、決済端末１０への電力供給であってもよい。決済端末１０への電力の供給は、決済端末１０が電源に接続される場合と、決済端末１０がＮＦＣＩ／Ｆ１６を介して、他の決済端末（例えば決済端末６０）から電力供給を受ける場合のどちらであってもよい。
【００７１】
（第２実施例）
続いて、第２実施例について、第１実施例とは異なる点を説明する。本実施例では、図５に示すように、制御部１８が実行するデータ送信処理の内容が第１実施例とは異なる。即ち、本実施例では、制御部１８は、決済不能フラグを不揮発メモリ３０に記憶させた後に、不揮発メモリ３０内の設定データ４０を揮発メモリ３４に移動させる点が第１実施例とは異なる。なお、本実施例では、制御部６８が実行するデータ受信処理（図３参照）の内容は第１実施例と同じである。
【００７２】
（決済端末１０の制御部１８が実行するデータ送信処理；図５）
図５を参照して、本実施例の決済端末１０の制御部１８が実行するデータ送信処理について、第１実施例と異なる点を中心に説明する。
【００７３】
Ｓ５０では、制御部１８は、ＮＦＣＩ／Ｆ１６を介して、他の決済端末６０から、設定データの送信を要求するデータ要求信号を受信することを監視する。制御部１８は、ＮＦＣＩ／Ｆ１６を介して決済端末６０からデータ要求信号を受信すると、Ｓ５０でＹＥＳと判断してＳ５２に進む。
【００７４】
Ｓ５２では、制御部１８は、不揮発メモリ３０内に決済不能フラグを記憶させる。
【００７５】
続くＳ５４では、制御部１８は、不揮発メモリ３０内の設定データ４０を揮発メモリ３４に記憶させる。具体的には、制御部１８は、不揮発メモリ３０内の設定データ４０を揮発メモリ３４にコピーする。
【００７６】
続くＳ５５では、制御部１８は、不揮発メモリ３０内の設定データ４０を消去する。Ｓ５５を終えると、設定データ４０が、揮発メモリ３４にのみ記憶されている状態になる。制御部１８は、不揮発メモリ３０内の設定データ４０を用いて電子マネー決済を実行することができるが、揮発メモリ３４内の設定データ４０を用いて電子マネー決済を実行することができない。揮発メモリ３４内に記憶される設定データ４０は、一時的に記憶されている設定データに過ぎず、決済情報の暗号化等の各処理に利用できないように制限されているためである。即ち、本実施例では、Ｓ５５の処理によって、決済端末１０において設定データ４０を用いて電子マネー決済を実行できない状態に移行する。
【００７７】
Ｓ５６、Ｓ５８の各処理は、図２のＳ１４、Ｓ１６の各処理と同様であるため、詳しい説明を省略する。
【００７８】
Ｓ６０では、制御部１８は、ＮＦＣＩ／Ｆ１６を介して、他の決済端末６０への設定データ４０の送信を開始する。具体的に言うと、制御部１８は、揮発メモリ３４内の設定データ４０をコピーし、コピーされた設定データを、ＮＦＣＩ／Ｆ１６を介して決済端末６０に複数回に分けて送信する。
【００７９】
Ｓ６０で設定データ４０の送信を開始すると、続くＳ６２で、制御部１８は、決済端末６０から完了通知を受信することを監視する。Ｓ６２の処理も、図２のＳ２０の処理と同様であるため、詳しい説明を省略する。Ｓ６２でＹＥＳの場合、データ送信処理が終了する。
【００８０】
上記の通り、図５のデータ送信処理が終了した時点では、揮発メモリ３４内に設定データ４０が記憶されているため、制御部１８は、設定データ４０を用いた電子マネー決済を実行することはできない。また、本実施例では、決済端末１０は、充電池２０を有する。そのため、図５のデータ送信処理が終了した後に、充電池２０の蓄電量が閾値以下に低下することにより、揮発メモリ３４内の設定データ４０が自動的に消去される。この場合も、１個の設定データが複数個の決済端末１０、６０で同時に利用される状況が発生することを適切に防止することができる。
【００８１】
なお、制御部１８は、決済不能フラグを不揮発メモリ３０に記憶させ（Ｓ５２）、不揮発メモリ３０内の設定データを揮発メモリ３４に記憶させ（Ｓ５４）、不揮発メモリ３０内の設定データ４０を消去した後であって（Ｓ５５）、決済端末６０から完了通知を受信する前に（即ち、設定データの送信が完了する前に）、決済端末１０と決済端末６０との間のＮＦＣ接続が切断された場合には、図５のデータ送信処理をエラー終了させる。その際、制御部１８は、不揮発メモリ３０に記憶させた決済不能フラグを消去する。さらに、制御部１８は、揮発メモリ３４内の設定データ４０を不揮発メモリ３０内に戻す。送信中の通信状態の悪化により、決済端末１０、６０の双方で電子マネー決済が行えなくなる事態の発生が防止されている。
【００８２】
さらに、本実施例では、制御部１８は、揮発メモリ３４内に記憶された設定データを他の決済端末６０に送信している間に（Ｓ６０、Ｓ６２）、決済端末１０への電源供給が遮断される場合であっても、決済端末１０は、充電池２０から供給される電力を利用して設定データの送信を継続することができる。他の決済端末６０への設定データの送信を適切に行うことができる。
【００８３】
以上、本実施例について説明した。上記の通り、本実施例では、決済端末１０は、他の決済端末６０からデータ要求信号を受信すると（図５のＳ５０でＹＥＳ）、不揮発メモリ３０内の設定データ４０を揮発メモリ３４に記憶させ（Ｓ５４）、不揮発メモリ３０内から設定データ４０を消去する（Ｓ５５）ことにより、決済端末１０において設定データ４０を用いで電子マネー決済を実行できない状態に移行させることができる。また、揮発メモリ３４内に記憶された設定データ４０は、決済端末１０への電源供給が遮断され、充電池２０の蓄電量が閾値以下になった時点で消去される。そのため、揮発メモリ３４内の設定データ４０が決済端末６０に送信された後に、決済端末１０への電源供給を遮断すれば、決済端末１０内に設定データ４０を残さないようにすることができる。１個の設定データ４０が、複数個の決済端末１０、６０で同時に利用される状況が発生することを適切に防止することができる。
【００８４】
（第２実施例の変形例１）
上記の第２実施例では、制御部１８は、Ｓ５４で不揮発メモリ３０内の設定データ４０を揮発メモリ３４に記憶させた後、Ｓ５５で不揮発メモリ３０内から設定データ４０を消去する。これに代えて、制御部１８は、Ｓ５４の後で不揮発メモリ３０内から設定データ４０を消去しなくてもよい。即ち、Ｓ５４の後で、Ｓ５５をスキップしてＳ５６に進んでもよい。この場合も、図５のデータ送信処理が終了した後は、不揮発メモリ３０内に決済不能フラグが記憶されているため、制御部１８は、設定データ４０を用いた電子マネー決済を実行不能となる。１個の設定データ４０が、複数個の決済端末１０、６０で同時に利用される状況が発生することを防止することができる。
【００８５】
（第２実施例の変形例２）
また、制御部１８は、Ｓ５５で不揮発メモリ３０内から設定データ４０を消去することに代えて、決済端末６０から完了通知を受信した後で（Ｓ６２でＹＥＳの後で）、不揮発メモリ３０内に記憶されている設定データ４０を消去するようにしてもよい。
【００８６】
以上、本明細書で開示する技術の実施例について詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００８７】
２：決済システム
１０：決済端末
１２：操作部
１４：表示部
１６：ＮＦＣＩ／Ｆ
１８：制御部
２０：充電池
２２：有線Ｉ／Ｆ
２４：メモリ
３０：不揮発メモリ
３２：プログラム
３４：揮発メモリ
４０：設定データ
５０：ＰＯＳ端末
６０：決済端末
６２：操作部
６４：表示部
６６：ＮＦＣＩ／Ｆ
６８：制御部
７０：充電池
７２：有線Ｉ／Ｆ
７４：メモリ
８０：不揮発メモリ
８２：プログラム
８４：揮発メモリ
９０：ＰＯＳ端末
１００：決済媒体
【図１】
2015225542.tif 000003
【図２】
2015225542.tif 000004
【図３】
2015225542.tif 000005
【図４】
2015225542.tif 000006
【図５】
2015225542.tif 000007